(57)【要約】      （修正有）【課題】汚れやすかったスリッパ底面の汚れを軽減し、さらに床面の埃なども取る滑り止め効果を有するシートを装着したスリッパを提供する。【解決手段】スリッパ底部に設けた第１部材１と、第１部材の下部に第１部材の周縁から内側に縮小した形状の第２部材２と、床面と接する少なくとも一部分に滑り止め部６を設けたシート５と、を順次重ねて載置し、第１部材と第２部材とは少なくとも爪先部と踵部とをスリッパ底部に結合すると共に、シートは第２部材の底面から第２部材を包み込むように巻き付け、第２部材と第１部材との間に、外側から内側方向にシート周縁部を差し込み、着脱自在に取り付ける。【選択図】図４
0003227962.tif 000002
【実用新案登録請求の範囲】
【請求項１】
室内床面で着用されるスリッパであって、
前記スリッパ底部に設けた第１部材と、
前記第１部材の下部に第１部材の周縁から内側に縮小した形状の第２部材と、
床面と接する少なくとも一部分に滑り止め部を設けたシートと、
を順次重ねて載置し、
前記第１部材と前記第２部材とは少なくとも爪先部と踵部とをスリッパ底部に結合すると共に、
前記シートは第２部材の底面から前記第２部材を包み込むように巻き付け、
前記第２部材と前記第１部材との間に、
外側から内側方向に前記シート周縁部を差し込み、
着脱自在に取り付けられていることを特徴とする滑り止めを施したシートを装着したスリッパ。
【請求項２】
前記シートは周縁部に複数の切り欠いて成る差し込み部を備え、
前記差し込み部は前記第１部材と前記第２部材とで挟持することを特徴とする請求項１記載の滑り止めを施したシートを装着したスリッパ。
【考案の詳細な説明】
【技術分野】
【０００１】  本考案は、シート周辺部差し入れ口に、シート周辺部を差し入れてスリッパ底面にシートを巻き付けるように装着して使用されるシートを装着したスリッパにおいて、使用者が使用中に滑ったり、転倒したりしにくくしたスリッパに関するものである。
【背景技術】
【０００２】  従来の室内で着用されるスリッパは、甲・中敷き・ヒール・底等の部品を縫製・貼り付け等の手段によって製造されたもので、直接室内床面に接する底部素材にはビニール、布、フェルト等が使用される。
床の汚れを取る掃除スリッパとしては、スリッパ底部にモップ状素材を使用した物が知られており、スリッパカバーとしてはモップ素材や不織布素材でスリッパを包んで装着する方法が知られている。
しかし、室内床面に直接接するスリッパ底部は、床の埃や床に落ちている髪の毛やごみですぐに汚れてしまうという欠点があった。
掃除スリッパは汚れる度に洗濯をしなければならない上、それによりスリッパ本体が劣化してしまい、スリッパを包んで装着する方法のモップ素材や不織布素材によるカバー等は、スリッパのデザインを損なってしまうだけでなく、洗濯の必要性が生じる。【０００３】  そのため、スリッパ底面にシートを装着し、床面の汚れをシートに付着させることで、スリッパ本体の汚れを軽減し、そのうえ汚れたシートを新しいシートに取り換えて使用できるよう考案された特許文献２のシートを装着したスリッパがある。
【先行技術文献】
【特許文献】
【０００４】
【特許文献１】実登３１３７３９２号公報
【特許文献２】特開２０１８−１２２０６８号公報
【考案の概要】
【考案が解決しようとする課題】
【０００５】  しかしながら、上記シートを装着したスリッパは、スリッパ底部にあるシート周縁部差し入れ口にシート周辺部を差し入れてシートをスリッパ底面に装着するので、スリッパ底面をシートが覆うため、滑り易くなる可能性が高まり、スリッパ使用者の転倒やスリップ事故が予測されるという問題点があった。【０００６】  本考案は、シートを装着したスリッパの、シートを装着してスリッパ底部を汚れにくくし、なおかつ室内床面の掃除ができる特徴を残しながら、使用者がスリッパ使用者の転倒やスリップ事故を防げるよう、滑り止めを施したシートを装着したスリッパを提供することを目的とする。
【課題を解決するための手段】
【０００７】  本考案による滑り止めを施したシートを装着したスリッパは、室内床面で着用されるスリッパにおいて、スリッパ底部に第１部材と第１部材の下部にこれより縮小した形状の第２部材を配置し、第２部材は少なくとも爪先部と踵部をスリッパ底部に縫い留め等の方法で結合し、第２部材下部に重ねて載置したシートを、第１部材と第２部材との間のシートの周縁部差し入れ口に外側から内側に、第２部材に巻き付けるように差し込んで、シートを着脱自在に取り付け、該シートの床面に接する少なくとも一部分に、滑り止め部を設けたことを特徴とする。
【考案の効果】
【０００８】  本考案によれば、スリッパに装着するシートの床に接する全面に滑り止めが施されておらず、一部にのみ滑り止め部が設けられているので、スリッパの汚れを軽減し、さらに床面の汚れも取る性質を残しながら滑り止め効果をスリッパ全体に付加できる。
【図面の簡単な説明】
【０００９】
【図１】  滑り止めを施したシートを装着したスリッパの、シートを取り外し、シート周縁部差し入れ口を押し広げた状態の概略的右側面図である。
【図２】  滑り止めを施したシートを装着したスリッパの、シートを取り外した状態の概略的底面図である。
【図３】  滑り止めを施したシートを装着したスリッパに、滑り止め部を設けたシートを装着する途中の状態を表した概略的左側面図である。
【図４】  （ａ）図３Ａ−Ａにおける概略的断面図。（ｂ）図３Ｂ−Ｂにおける概略的断面図であり、シートが第１部材と第２部材の間に差し込まれている。
【図５】  滑り止めを施したシートを装着したスリッパに装着する、滑り止め部を設けたシートの概略的平面図である。
【図６】  図６は図３の概略的底面図である。
【図７】  滑り止めを施したシートを装着したスリッパの概略的斜視図である。
【考案を実施するための形態】
【００１０】  本考案を図１〜図７に図示の実施例に基づいて詳細に説明する。
【００１１】  滑り止めを施したシートを装着したスリッパは、図１乃至図３に示すように、第１部材１と第２部材２をスリッパ底部に備え、第１部材１より小さく形成された第２部材２は結合箇所３ａ、３ｂ、３ｃ、３ｄ・・・において（図４（ａ）の結合箇所３ｂ、３ｆに示すように）、第１部材を介してスリッパ底部に縫着で結合され、スリッパ底部に固定されている。すなわち、第２部材２は結合箇所以外では固定されておらず、そのためシートの周縁部差し入れ口４ａ、４ｂ、４ｃ・・・が構成される。上記のように構成された図１のシートの周縁部差し入れ口４ａ、４ｂ、４ｃ・・・に、図４（ｂ）Ｂ−Ｂ断面図で示されているように、第２部材２を巻き込みながらシートの周縁部を差し入れることでシートがスリッパ底部からはみ出すことなくスリッパ底部に装着される。また、図４（ａ）Ａ−Ａ断面図の結合箇所３ｂ、３ｆにおいて、装着されるシート５は、図５のように切り込み７ｂ、７ｆを入れているため、結合箇所３ｂ、３ｆを避けるように装着される。
【００１２】  上記のような構造によって、シートをスリッパの外観やデザインを邪魔することなくスリッパ底部に装着し、またスリッパ使用者がスリッパ着用時に、シートを踏んで転倒したり躓いたりすることを防ぐよう、シートがスリッパ底部外周の内側に保持されている。（図７参照）
【００１３】  シート５には結合箇所３を避けるようにしてシート周縁部差し入れ口４にシートの周縁部が差し込めるように切り込み７が入れられている。
【００１４】  シート装着の手順としては、結合箇所３にシートの切り込み７を対応させて配置した後、第１部材１と第２部材２の間のシートの周縁部差し入れ口４にシート５の周縁部を差し込んでスリッパ底部に装着する。
なお結合箇所３は、実施例においてはシート５の切り込み７に対応するよう、それぞれ６箇所設けられているが、とくに６箇所に限られるものではない。
また、前記第１部材１と前記第２部材２は摩擦力の強い素材を使用し、シート５を第１部材１と第２部材２に挟持させた上、スリッパ着用者の体の重みで第１部材１と第２部材２を圧着させて保持させる構造である。
【００１５】  前記シート５の床面に接する少なくとも一部分に、図５のような滑り止め効果のある滑り止め部６を設ける。該滑り止め部６は滑り止め効果を有する素材や部材、例えば液体ゴムを塗り付け、若しくは吹き付けて、或いは、天然や人口の皮革を張り付け、若しくは縫い付けて設ける。
かかる滑り止め効果を有するシート５をスリッパの底部に装着することにより、スリッパ底部の汚れを軽減し、かつ室内床面の掃除が出来ると共に、スリッパ使用時滑り止め効果を付加することが出来るため、スリッパ使用者の転倒やスリップ事故を防止することが可能となる。
【符号の説明】
【００１６】１  第１部材
２  第２部材
３ａ、３ｂ、３ｃ、３ｄ、３ｅ、３ｆ    結合箇所
４ａ、４ｂ、４ｃ、４ｄ、４ｅ、４ｆ    シート周縁部差し入れ口
５  シート
６  滑り止め部
７ａ、７ｂ、７ｃ、７ｄ、７ｅ、７ｆ    切り込み
【図１】
0003227962.tif 000003
【図２】
0003227962.tif 000004
【図３】
0003227962.tif 000005
【図４】
0003227962.tif 000006
【図５】
0003227962.tif 000007
【図６】
0003227962.tif 000008
【図７】
0003227962.tif 000009